(57)【要約】【課題】衣料等の繊維製品に直接塗布ができ、しかも高い漂白効果を得ることができる繊維用固形状漂白剤を提供する。【解決手段】（ａ）過酸化水素、（ｂ）融点が３０〜１００℃の脂肪族カルボン酸又はそれらの塩、（ｃ）グリセリン、エチレングリコール、ジエチレングリコール及びトリエチレングリコールから選ばれる化合物、（ｄ）金属封鎖剤、並びに（ｅ）水を含有し、２５℃における進入硬度が１〜１００ｋｇ／ｃｍ２である繊維用固形状漂白剤。【選択図】  なし【特許請求の範囲】
【請求項１】
（ａ）過酸化水素を０．１〜１０質量％、（ｂ）融点が３０〜１００℃の脂肪族カルボン酸及び／又は該融点を有するカルボン酸の塩を１０〜４０質量％、（ｃ）グリセリン、エチレングリコール、ジエチレングリコール及びトリエチレングリコールから選ばれる化合物を１０〜４０質量％、（ｄ）金属封鎖剤を０．１〜３質量％、並びに（ｅ）水を含有し、２５℃における進入硬度が１〜１００ｋｇ／ｃｍ２である繊維用固形状漂白剤。
【請求項２】
（ｃ）／（ｂ）の質量比が１／４〜２／１である請求項１記載の繊維用固形状漂白剤。
【請求項３】
請求項１又は請求項２記載の固形状漂白剤を繊維製品の汚れにそのまま接触させることで付着させた後、弱アルカリ性洗剤を含有する洗浄水で洗浄する、繊維製品の漂白方法。
【発明の詳細な説明】
【０００１】
【発明の属する技術分野】
本発明は繊維用固形状漂白剤に関する。また、本発明は繊維製品の漂白方法に関する。
【０００２】
【従来の技術及び発明が解決しようとする課題】
過酸化水素を主基剤とする衣料用漂白剤は、液体状及び固形状のものが知られており、液体状のものは汚れに直接塗布できることから特に好まれて使用されている。一方、固形状の漂白剤としては、粉末の形態のものが一般的である。また、粉末形態の漂白剤は洗濯時の洗浄水に弱アルカリ性洗剤と共に添加するか、もしくは粉末漂白剤を水に溶解した漂白水に衣料を漬け置く方法等で使用され、衣料に直接漂白剤を作用させることは困難である。従って衣料に直接塗布でき、それによって高濃度の漂白剤を汚れに直接作用させて高い漂白効果が得られる固形状漂白剤の開発が望まれる。
【０００３】
漂白剤を含有する固形状洗浄剤はすでに知られている。特許文献１には、活性酸素源、酸及び界面活性剤を含有するトイレ用ブロック状漂白剤が開示されている。しかしながら、漂白活性成分の溶解性を制御する技術でありこの技術を衣料用漂白剤に応用しても、衣料に直接塗布することはできない。特許文献２、特許文献３にはドウ状の漂白剤含有組成物を水溶性フィルムに挟み込んだシート状洗浄剤が開示されている。また、該公報には特定の進入硬度を有するものが溶解性に優れることを開示している。しかしながら、これら公報は洗濯の簡便性を目的としており、衣料に直接塗布するものではない。しかも、該公報の洗剤部分を衣料に直接塗布しても望まれる漂白効果を得ることができない。
【０００４】
特許文献４には次亜塩素酸等の漂白剤と炭素数８〜１６の脂肪族カルボン酸のアルカリ金属塩等のゲル化剤とを含有する固形のかび取り剤が開示されている。
また、該公報には脂肪酸をゲル化剤として用いる点、及び保湿剤としてグリセリンやポリエチレングリコールが使用できる点が記載されている。しかしながら、特許文献４では、保形性はあるが、溶解性が低いため、過酸化水素とアルカリ成分の接触が妨げられ、好ましい効果を得ることができない。
【０００５】
従って本発明の課題は、衣料等の繊維製品に直接塗布ができ、しかも高い漂白効果を得ることができる繊維用固形状漂白剤、及び該漂白剤を用いた漂白方法を提供することにある。
【０００６】
【特許文献１】
特表平８−５０８７６９号公報
【特許文献２】
特開平１０−７２５９３号公報
【特許文献３】
特開平１０−２０４４９９号公報
【特許文献４】
特開平１１−２９３２８１号公報
【０００７】
【課題を解決するための手段】
本発明は、（ａ）過酸化水素〔以下、（ａ）成分という〕を０．１〜１０質量％、（ｂ）融点が３０〜１００℃の脂肪族カルボン酸及び／又は該融点を有するカルボン酸の塩〔以下、（ｂ）成分という〕を１０〜４０質量％、（ｃ）グリセリン、エチレングリコール、ジエチレングリコール及びトリエチレングリコールから選ばれる化合物〔以下、（ｃ）成分という〕を１０〜４０質量％、（ｄ）金属封鎖剤〔以下、（ｄ）成分という〕を０．１〜３質量％、並びに（ｅ）水〔以下、（ｅ）成分という〕を含有し、２５℃における進入硬度が１〜１００ｋｇ／ｃｍ２である繊維用固形状漂白剤に関する。
【０００８】
また、本発明は、上記本発明の固形状漂白剤を繊維製品の汚れにそのまま接触させることで付着させた後、弱アルカリ性洗剤を含有する洗浄水で洗浄する、繊維製品の漂白方法に関する。
【０００９】
【発明の実施の形態】
本発明の（ａ）成分は過酸化水素であり、本発明に係わる漂白剤中に０．１〜１０質量％、好ましくは０．５〜６質量％、特に好ましくは１〜６質量％であり、このような範囲を超えても効果に影響はなく、逆に不経済であり、この範囲に満たない場合には満足できる漂白効果を得ることができない。本発明では（ａ）成分として過炭酸ナトリウムや過ホウ酸ナトリウムのような固体状無機化酸化物は貯蔵安定性の点から好ましくない。これらは貯蔵中に酸素ガスを発生し、本発明の固形状漂白剤の表面に起泡状の孔が形成され審美的に好ましくない。
【００１０】
本発明の（ｂ）成分は脂肪酸としての融点が３０〜１００℃、好ましくは４０〜８０℃、より好ましくは５０〜８０℃の脂肪族カルボン酸、又はそれらの塩であり、好ましくは炭素数１０〜２４、好ましくは１２〜２０の飽和脂肪酸、特に好ましくは１４〜２０、最も好ましくはパルミチン酸及び／又はステアリン酸である。塩としてはアルカリ金属塩、アルカリ土類金属塩が公的であり、特にナトリウム、カリウム、マグネシウムが好ましく、最も好ましくはナトリウムである。カルシウムは漂白効果を低下する傾向にあるため好ましくない。なお、塩の場合も融点は３０〜１００℃が好ましい。
【００１１】
本発明の（ｂ）成分の含有量は、本発明に係わる漂白剤中に１０〜４０質量％、好ましくは１５〜３５質量％、特に好ましくは２０〜３０質量％であり、このような範囲において優れた漂白効果が得られ、固形状態も維持できる。
【００１２】
本発明の（ｃ）成分は、グリセリン、エチレングリコール、ジエチレングリコール、トリエチレングリコールから選ばれる化合物であり、これらは単独又は混合して用いることができる。これら（ｃ）成分は本発明において最も重要な成分であり、繊維製品に塗布後、弱アルカリ性洗剤と共に洗濯する工程において、過酸化水素とアルカリ成分の接触を促進する効果を有するものと本発明者らは考えている。本発明ではグリセリンが最も好ましい。
【００１３】
また、（ｃ）成分／（ｂ）成分を質量比で１／４〜２／１、好ましくは３／４〜３／２にすることで高い漂白効果を得ることができる。さらに、（ｂ）成分と（ｃ）成分の合計は、本発明に係わる漂白剤中、２０〜７０質量％、好ましくは２５〜６５質量％、特に好ましくは３０〜６０質量％が好適である。
【００１４】
本発明では過酸化水素の安定性を向上させる目的から（ｄ）成分として金属封鎖剤を含有する。金属封鎖剤としては▲１▼リン酸、トリポリリン酸、フィチン酸から選ばれるリン酸系化合物、▲２▼エタン−１，１−ジホスホン酸、エタン−１，１，２−トリホスホン酸、エタン−１−ヒドロキシ−１，１−ジホスホン酸、エタンヒドロキシ−１，１，２−トリホスホン酸、エタン−１，２−ジカルボキシ−１，２−ジホスホン酸、メタンヒドロキシホスホン酸から選ばれるホスホン酸、▲３▼２−ホスホノブタン−１，２−ジカルボン酸、１−ホスホノブタン−２，３，４−トリカルボン酸、α  −メチルホスホノコハク酸から選ばれるホスホノカルボン酸、▲４▼アスパラギン酸、グルタミン酸、グリシンから選ばれるアミノ酸、▲５▼ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラアミン六酢酸、ジエンコル酸から選ばれるアミノポリ酢酸、▲６▼ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキメチル酒石酸から選ばれる有機酸、▲７▼アミノポリ（メチレンホスホン酸）、またはポリエチレンポリアミンポリ（メチレンホスホン酸）、を挙げることができ、より好ましくは▲２▼のホスホン酸化合物、▲５▼のアミノポリ酢酸化合物、▲６▼の有機酸、及び▲７▼の化合物が好適である。本発明では特にエタン−１，１−ジホスホン酸、エタン−１，１，２−トリホスホン酸、エタン−１−ヒドロキシ−１，１−ジホスホン酸、クエン酸、エチレンジアミン４酢酸、ジエチレントリアミン５酢酸、エチレンジアミン２酢酸、２−ヒドロキシエチルイミノジ酢酸から選ばれる化合物が最も好ましい。
【００１５】
本発明に係わる漂白剤は、過酸化水素の安定性を向上させる目的で、（ｄ）成分を０．１〜３質量％、好ましくは０．５〜２質量％含有する。
【００１６】
本発明に係わる漂白剤は（ｅ）成分として水を含有する。（ｅ）成分は、（ｃ）成分と同様にアルカリ成分との接触を促進させる効果があるため本発明の必須成分であり、その含有量は好ましくは２０〜７０質量％、より好ましくは２５〜６０質量％、特に好ましくは３０〜５０質量％が好適である。（ｅ）成分の含有量がこのような範囲を超えると固形状態を維持することができず、この範囲に満たない場合にはアルカリ成分との接触が抑制されるため漂白効果が低下する。
【００１７】
本発明に係わる漂白剤は、１質量％水溶液の２０℃におけるｐＨが３〜１１、より好ましくは４〜１０、特に好ましくは５〜９が貯蔵安定性の点から好適である。このようなｐＨに調製するためのｐＨ調整剤としては塩酸や硫酸など無機酸や、クエン酸、コハク酸、リンゴ酸、フマル酸、酒石酸、マロン酸、マレイン酸などの有機酸などの酸剤や、水酸化ナトリウムや水酸化カリウム、アンモニアやその誘導体、モノエタノールアミンやジエタノールアミン、トリエタノールアミンなどのアミン塩など、炭酸ナトリウム、炭酸カリウムなどのアルカリ剤を、単独もしくは複合して用いることが好ましく、特に塩酸、硫酸から選ばれる酸と水酸化ナトリウムや水酸化カリウムから選ばれるアルカリ剤を用いることが好ましい。
【００１８】
本発明に係わる漂白剤は、漂白効果を向上させる目的から（ｆ）成分として漂白活性化剤を含有することが好適であり、アルカノイルオキシベンゼン型漂白活性化剤が好ましく、特に炭素数８〜１４、好ましくは８〜１３のアルカノイル基を有するアルカノイルオキシベンゼンスルホン酸もしくは炭素数８〜１４、好ましくは８〜１３のアルカノイル基を有するアルカノイルオキシベンゼンカルボン酸又はこれらの塩が好ましい。より具体的に好ましい例としてはオクタノイルオキシ−ｐ−ベンゼンスルホン酸、ノナノイルオキシ−ｐ−ベンゼンスルホン酸、３，５，５−トリメチルヘキサノイルオキシ−ｐ−ベンゼンスルホン酸、デカノイルオキシ−ｐ−ベンゼンスルホン酸、ドデカノイルオキシ−ｐ−ベンゼンスルホン酸、オクタノイルオキシ−ｏ−又は−ｐ−ベンゼンカルボン酸、ノナノイルオキシ−ｏ−又は−ｐ−ベンゼンカルボン酸、３，５，５−トリメチルヘキサノイルオキシ−ｏ−又は−ｐ−ベンゼンカルボン酸、デカノイルオキシ−ｏ−又は−ｐ−ベンゼンカルボン酸、ドデカノイルオキシ−ｏ−又は−ｐ−ベンゼンカルボン酸、及びこれらの塩が挙げられる。塩としてはナトリウム塩、カリウム塩、マグネシウム塩が好ましく、特にナトリウム塩が溶解性の点から好ましい。
【００１９】
これらの中でも特にノナノイルオキシ−ｐ−ベンゼンスルホン酸、デカノイルオキシ−ｐ−ベンゼンカルボン酸、ドデカノイルオキシ−ｐ−ベンゼンスルホン酸及びこれらの塩が漂白効果の点から好ましい。
【００２０】
本発明に係わる漂白剤は、（ｆ）成分を好ましくは０．１〜５質量％、より好ましくは０．２〜３質量％、特に好ましくは０．４〜１質量％含有する。
【００２１】
本発明に係わる漂白剤は、漂白効果及び貯蔵安定性の点から界面活性剤〔以下、（ｇ）成分という〕を含有することが好ましく、特に陰イオン界面活性剤、非イオン界面活性剤、陽イオン界面活性剤、および両性界面活性剤から選ばれる１種以上が好ましい。
【００２２】
陰イオン界面活性剤としては、分子中に炭素数１０〜１８、好ましくは１０〜１６、特に好ましくは１０〜１５のアルキル基又はアルケニル基と、−ＳＯ３Ｍ基及び／又は−ＯＳＯ３Ｍ基〔Ｍ：対イオン〕を有する陰イオン界面活性剤が好ましい。具体的には上記炭素数を有するアルキルベンゼンスルホン酸、アルキル（又はアルケニル）硫酸エステル、アルキレンオキシド平均付加モル数１〜６のポリオキシアルキレンアルキル（又はアルケニル）エーテル硫酸エステル、オレフィンスルホン酸、アルカンスルホン酸、α−スルホ脂肪酸、α−スルホ脂肪酸エステル及びこれらの塩が好ましい。これらの中でも特に炭素数１０〜１６のアルキル基又はアルケニル基を有するアルキル（又はアルケニル）硫酸エステル、炭素数１０〜１６のアルキル基又はアルケニル基を有し、エチレンオキシド（以下、ＥＯと表記する）平均付加モル数が１〜６、好ましくは１〜４、特に好ましくは１〜３であるポリオキシエチレンアルキル（又はアルケニル）エーテル硫酸エステル、もしくは炭素数１０〜１５のアルキルベンゼンスルホン酸、およびこれらの塩から選ばれる一種以上を配合することが好ましい。塩としては、ナトリウム塩、カリウム塩、アンモニウム塩、アルカノールアミン塩が貯蔵安定性の点から良好である。
【００２３】
非イオン界面活性剤としては、一般式（１）の化合物が好ましい。
Ｒ１−Ｔ−［（Ｒ２Ｏ）ａ−Ｈ］ｂ      （１）
〔式中、Ｒ１は、炭素数７〜１８、好ましくは１０〜１６のアルキル基又はアルケニル基であり、Ｒ２は炭素数２又は３のアルキレン基であり、好ましくはエチレン基である。ａは２〜２０、好ましくは４〜１０、特に好ましくは５〜８の数を示す。Ｔは−Ｏ−、−ＣＯＮ−又は−Ｎ−であり、Ｔが−Ｏ−の場合はｂは１であり、Ｔが−ＣＯＮ−又は−Ｎ−の場合はｂは２である。〕。
【００２４】
一般式（１）の化合物の具体例として以下の化合物を挙げることができる。
Ｒ１−Ｏ−（Ｃ２Ｈ４Ｏ）ｃ−Ｈ                  （１−ａ）
〔式中、Ｒ１は前記の意味を示す。ｃは２〜２０、好ましくは４〜１２、特に好ましくは６〜１０の数である。〕
Ｒ１−Ｏ−（Ｃ２Ｈ４Ｏ）ｄ−（Ｃ３Ｈ６Ｏ）ｅ−Ｈ    （１−ｂ）
〔式中、Ｒ１は前記の意味を示す。ｄ及びｅはそれぞれ独立に２〜１５、好ましくは２〜１０の数であり、エチレンオキシドとプロピレンオキシドはランダムあるいはブロック付加体であってもよい。〕
【００２５】
【化１】
2004210903.tif 000002
【００２６】
〔式中、Ｒ１は前記の意味を示す。ｆ及びｇの合計は３〜２０、好ましくは３〜１５、特に好ましくは２〜１０の数である。〕
本発明ではこれらの中でも特に（１−ａ）及び（１−ｂ）から選ばれる非イオン界面活性剤が好ましい。
【００２７】
陽イオン界面活性剤としては、下記一般式（２）のモノ長鎖アルキル（もしくはアルケニル）トリ短鎖アルキル型陽イオン界面活性剤が好ましい。
【００２８】
【化２】
2004210903.tif 000003
【００２９】
〔式中、Ｒ３は炭素数８〜１８、好ましくは１０〜１８、特に好ましくは１０〜１６のアルキル基またはアルケニル基であり、Ｒ４、Ｒ５、Ｒ６は同一又は異なっていてもよい炭素数１〜３のアルキル基である。Ｘ−は陰イオン、好ましくはハロゲンイオン、炭素数１〜３のアルキル硫酸エステルイオン、炭素数１〜１２の脂肪酸イオン、炭素数１〜３の置換基を１〜３個有していてもよいアリールスルホン酸イオンである。〕。
【００３０】
両性界面活性剤としては下記一般式（３）の化合物又は一般式（４）の化合物から選ばれる化合物が好ましい。
【００３１】
【化３】
2004210903.tif 000004
【００３２】
〔式中、Ｒ７は炭素数８〜１６、好ましくは１０〜１６、特に好ましくは１０〜１４の直鎖アルキル基又はアルケニル基であり、Ｒ９、Ｒ１０は、それぞれ炭素数１〜３のアルキル基又はヒドロキシアルキル基である。Ｒ８は炭素数１〜５、好ましくは２又は３のアルキレン基である。Ｕは−ＣＯＯ−、−ＣＯＮＨ−、−ＯＣＯ−、−ＮＨＣＯ−、−Ｏ−から選ばれる基であり、ｈは０又は１、好ましくは１の数である。〕
【００３３】
【化４】
2004210903.tif 000005
【００３４】
〔式中、Ｒ１１は炭素数９〜２３、好ましくは９〜１７、特に好ましくは１０〜１６のアルキル基又はアルケニル基であり、Ｒ１２は炭素数１〜６、好ましくは１〜４、特に好ましくは２又は３のアルキレン基である。Ｖは−ＣＯＯ−、−ＣＯＮＨ−、−ＯＣＯ−、−ＮＨＣＯ−、−Ｏ−から選ばれる基であり、ｉは０又は１の数、好ましくは０である。Ｒ１３、Ｒ１４は、それぞれ炭素数１〜３のアルキル基又はヒドロキシアルキル基、好ましくはメチル基、エチル基又はヒドロキシエチル基であり、Ｒ１５はヒドロキシ基で置換していてもよい炭素数１〜５、好ましくは１〜３のアルキレン基である。Ｄは、−ＳＯ３−、−ＯＳＯ３−から選ばれる基であり、特に−ＳＯ３−が漂白洗浄効果の点から良好である。〕。
【００３５】
本発明において浸透剤として特に好ましい界面活性剤としては一般式（１−ａ）及び／又は（１−ｂ）の非イオン界面活性剤、一般式（２）の陽イオン界面活性剤、一般式（３）及び／又は一般式（４）の両性界面活性剤から選ばれる１種以上であり、最も好ましい化合物は一般式（１−ａ）及び／又は（１−ｂ）の非イオン界面活性剤である。
【００３６】
本発明に係わる漂白剤は、漂白効果を高める目的から分散剤〔以下、（ｈ）成分という〕を含有することが好ましい。特に、重量平均分子量５千〜４万、好ましくは５千〜１万のポリアクリル酸もしくはその塩又はポリメタクリル酸もしくはその塩、重量平均分子量１万〜１０万、好ましくは３万〜７万のアクリル酸とマレイン酸のコポリマーもしくはその塩から選ばれるカルボン酸系ポリマー、及び重量平均分子量４千〜２万、好ましくは５千〜１万のポリエチレングリコールから選ばれる非イオン性ポリマーが好ましい。
【００３７】
本発明に係わる漂白剤は、（ｈ）成分を０．０５〜１４質量％、好ましくは０．１〜８質量％含有することが好適である。
【００３８】
本発明では（ｉ）成分としてラジカルトラップ剤を含有することが好ましい。
ラジカルトラップ剤としてはフェノール性化合物が好適であり、特にフェノール、カテコール、ハイドロキノン、ピロガドール、ヒドロキシ安息香酸、ヒドロキシフタル酸、フェノールスルホン酸、没食子酸、２，６−ジ−ｔｅｒｔ−ブチル−４−メチルフェノールが貯蔵安定性の点から好適である。
【００３９】
本発明に係わる漂白剤は、（ｉ）成分を０．０１〜１質量％、好ましくは０．１〜０．５質量％含有することが好適である。
【００４０】
〔繊維用固形状漂白剤〕
本発明は上記（ａ）成分〜（ｅ）成分、及び所望により（ｆ）成分〜（ｉ）成分を含有する組成物を固形状に成型した繊維用固形状漂白剤に関する。また、該漂白剤の硬さの目安である２５℃における進入硬度は、１〜１００ｋｇ／ｃｍ２、好ましくは５〜８０ｋｇ／ｃｍ２、より好ましくは１０〜６０ｋｇ／ｃｍ２である。ここで該漂白剤の進入硬度は以下の方法で測定される。
【００４１】
＜進入硬度の測定方法＞
漂白剤の各成分とマーカー用に色素（赤色１０６号）をダルトン製万能混合攪拌機（形式５ＤＭ−０３−ｒ）に合計１０００ｇ仕込む。約２５℃に調温後、まず低速（約１００ｒｐｍ）で１分間混練し、次いで高速（約２００ｒｐｍ）で混練する。ミノルタ株式会社製測色計（ＣＲ−３００）を用いて混練物のｂ値を測定し、ｂ値が一定になるまで高速で混練を行って均一な漂白剤を得る。ＦＵＤＯＨ  ＲＨＥＯ  ＭＥＴＥＲ（ＲＴ−２０１０Ｊ−ＣＷ）のレオメーターを用い、２５℃に保った上記漂白剤の表面にＦＵＤＯＨレオメーター専用アダプター▲３▼（底面積１ｃｍ２）を押し付け、アダプターが漂白剤の内部に３０ｃｍ／分の進入速度で２０ｍｍ進入したときの応力を測定し、これを進入硬度とする。
【００４２】
このような進入硬度は、特に（ｂ）成分、（ｃ）成分、及び（ｄ）成分の割合を調節することで達成でき、好ましくは（ｂ）成分／（ｃ）成分を質量比で１／２〜４、更に２／３〜４／３、（ｃ）成分／（ｅ）成分を質量比で１／５〜３とすることが、漂白剤の硬度、及び漂白効果の点から好ましい。また、（ｂ）成分、（ｃ）成分、及び（ｅ）成分の合計を５０〜９５質量％、好ましくは７０〜９０質量％とすることが好適である。
【００４３】
本発明の漂白剤はその形や大きさには特に制限はないが、スティック状のものが衣料等の繊維製品に塗布しやすい点から好ましい。スティック状の漂白剤は、使用時に該漂白剤を徐々に繰り出し可能な容器に収納することが好ましい。スティックは、円柱又は４角〜８角の多角柱の形を有することができ、好ましくは、容器からの繰り出し易さなどを考慮して、円柱状のものが好適である。スティックが円柱である場合、その寸法は、使い勝手などの面から、１０〜５０ｍｍの直径及び５０〜１５０ｍｍの長さであるのが好ましい。
【００４４】
本発明の漂白剤の調製法としては、（ｂ）成分が酸の形態である場合には（ａ）成分、（ｃ）成分、（ｄ）成分、及び（ｅ）成分を予め混合し、３０〜７０℃、好ましくは４０〜６０℃に加温した溶液に、融点以上１００℃以下で融解した（ｂ）成分を添加する方法、或いは融点以上１００℃以下で融解した（ｂ）成分に（ａ）成分、（ｃ）成分、（ｄ）成分、及び（ｅ）成分を加える方法を採用することができる。また、（ｂ）成分が塩の形態である場合には（ａ）成分〜（ｅ）成分を加熱しながら混合する方法が好適であり、この場合、（ｂ）成分の溶解を促進させる目的から（ｆ）成分である界面活性剤を質量比で（ｂ）成分／（ｆ）成分＝１〜３０、好ましくは４〜１０の比率で併用することが好ましい。
【００４５】
溶解し均一になった組成物は所望の型に入れ、冷却することで本発明の繊維用固形状漂白剤を得ることができる。
【００４６】
〔漂白方法〕
本発明の漂白剤は繊維製品の汚れに直接接触させることで付着させて使用される。接触させる方法としては、ヘラなどを用いて塗り付ける方法をとることもできるが、固形状の漂白剤を直接繊維製品に塗り広げる方法が好ましい。また、塗布する量としては塗布面積当り０．０５〜０．５ｇ／ｃｍ２、更に０．１〜０．４ｇ／ｃｍ２が好適である。
【００４７】
塗布後は、そのまま水ですすいでもよいが、弱アルカリ性洗剤を含有し２０℃でのｐＨが１０以上の洗濯液を用いて洗浄することが、より高い漂白効果を得ることができることから好ましい。
【００４８】
【発明の効果】
本発明によれば、繊維製品に直接塗布ができ、しかも高い漂白効果を得ることができる繊維用固形状漂白剤及び該漂白剤を用いた漂白方法が提供される。本発明は、衣料、タオル、シーツ、各種カバーなどの洗濯機で洗浄可能な繊維製品に好適に用いられる。
【００４９】
【実施例】
下記配合成分を用いて、下記の調製法により表１の組成を有するスティック状の漂白剤を調製した。これら漂白剤を用いて下記の漂白方法により漂白効果を評価した。結果を表１に示す。
【００５０】
（配合成分）
ａ−１：過酸化水素
ｂ−１：ステアリン酸ナトリウム
ｂ−２：パルミチン酸ナトリウム
ｃ−１：グリセリン
ｃ−２：エチレングリコール
ｃ−３：ジエチレングリコール
ｃ−４：トリエチレングリコール
ｃ−５：ポリエチレングリコール（重量平均分子量１０００）
ｄ−１：１−ヒドロキシエチリデン−１，１−ジホスホン酸
ｆ−１：ドデカノイルオキシベンゼンスルホン酸ナトリウム
ｇ−１：ポリオキシエチレンラウリルエーテル（ＥＯ平均付加モル数７モル）
ｇ−２：アルキル（炭素数１２〜１５）ベンゼンスルホン酸ナトリウム
ｇ−３：テトラデシルトリメチルアンモニウムメチル硫酸エステル塩
ｈ−１：ポリアクリル酸ナトリウム（重量平均分子量１００００）
ｉ−１：フェノールスルホン酸。
【００５１】
（漂白剤調製法）
（ｂ）成分を除く全ての成分をガラスビーカーに入れ均一に溶解させた後、８０〜９０℃まで加熱し、（ｂ）成分を加え完全に溶解させた。得られた粘稠な溶液を予め加温しておいたスティックのり用容器（内径２６ｍｍ、深さ６０ｍｍ）に充填し、５℃にて急冷した。これにより、スティック状の漂白剤を作製した。
【００５２】
実施例１〜４の漂白剤の進入硬度は全て１〜１００ｋｇ／ｃｍ２の範囲内であった。また、比較例１及び２の漂白剤の進入硬度は１００ｋｇ／ｃｍ２超であり、比較例３の漂白剤の進入硬度は１ｋｇ／ｃｍ２未満であった。
【００５３】
（漂白効果）
表１に示すスティック状漂白剤を用いて、下記の通り調製した紅茶汚染布（親水性汚れ）４枚に１枚ずつ、直径５ｃｍの円になるよう、約２ｇずつ均一に塗布し、１０分間放置した。その後、濃度０．０６６７質量％の市販洗剤水溶液に投入し、ターゴトメーターにて普通洗浄した（８０ｒｐｍ×１０分）後、水道水ですすぎ、乾燥させて、次式により漂白率を算出した。
【００５４】
【数１】
2004210903.tif 000006
【００５５】
反射率は日本電色工業（株）製ＮＤＲ−１０１ＤＰで４６０ｎｍフィルターを使用して測定した。
【００５６】
＊紅茶汚染布の調製
日東紅茶（黄色パッケージ）８０ｇを３Ｌのイオン交換水にて約１５分間煮沸後、糊抜きしたさらし木綿でこし、この液に木綿金布＃２００３を浸し、約１５分間煮沸した。そのまま火よりおろし、約２時間放置後自然乾燥させ、洗液に色がつかなくなるまで水洗し、脱水、プレス後、８ｃｍ×８ｃｍの試験布として実験に供した。
【００５７】
【表１】
2004210903.tif 000007